(57)【特許請求の範囲】
【請求項１】
被覆架線の２箇所をその被覆部において一対の掴線器で掴持し、両掴線器の中間に配した伸縮器又は引とめ器を用いて、被覆架線を弛ませた状態で両掴線器を緊張状態に連結し、被覆架線をその弛ませた箇所で切断し、その両切断端部の被覆部を皮剥ぎすることにより現れた芯線のみをそれぞれチャックで掴持することを特徴とする被覆架線の切分け方法。
【発明の詳細な説明】
【０００１】
【発明の属する技術分野】
本発明は、被覆電線などの被覆架線を切分ける方法に関するものである。
【０００２】
【従来の技術】
被覆架線の切分け工事においては、伸縮自在の棒状伸縮器の両端に固定した掴線器によって、被覆架線の２箇所を掴持した後、前記伸縮器を縮ませて両掴線器間の距離を縮めて被覆架線を弛ませ、次いでその弛ませた部分において被覆架線を切断し、両切断端部を振分け、被覆部の皮剥ぎ等を行っている。
【０００３】
【発明が解決しようとする課題】
ところで現在、一般に使用されている被覆電線（被覆架線）は、銅撚り線からなる芯線をプラスチックなどの被覆部で覆った形態となっているが、この芯線と被覆部との密着度はさほど強くない。そのため、一対の掴線器で切断後の被覆架線の両切断端部の被覆部を掴持し、これら掴線器および伸縮器によって両切断端部を連結して、長時間放置しておくような場合、何らかの原因で被覆架線に大きな外力が加わると、被覆部の掴線器で掴持された部分が大きな力で引張られ、他の被覆部分から引き千切られるような状態で芯線から抜けてしまい、両切断端部の連結は解除され、被覆架線、掴線器、伸縮器が落下してしまうおそれがあった。
【０００４】
そこで、前記のような事故を防止するため、掴線器で掴持する部分について被覆部の皮剥ぎを行って、掴線器によって被覆架線の芯線を直接掴持するようなことが行われている。しかしこの場合には、被覆架線の掴持する部分の寸法を測り、必要な部分のみを皮剥ぎしなければならないため、その作業には多大な労力と時間を要するという問題がある。また、工事終了後には、剥ぎ取った部分の修復作業も必要となる。
【０００５】
本発明は、上記に鑑み、被覆架線の掴線器によって掴持される部分の皮剥ぎ作業を不要としながら、たとえ切断後の被覆架線に大きな外力が作用して、被覆部が引き千切られることがあっても、被覆架線の両切断端部の連結を掴持して、被覆架線等の落下を防止しうる被覆架線の切分け方法を提供することを目的とする。
【０００６】
【課題を解決するための手段】
本発明の被覆架線の切分け方法は、上記目的を達成するため、被覆架線の２箇所をその被覆部において一対の掴線器で掴持し、両掴線器の中間に配した伸縮器又は引とめ器を用いて、被覆架線を弛ませた状態で両掴線器を緊張状態に連結し、被覆架線をその弛ませた箇所で切断し、その両切断端部の被覆部を皮剥ぎすることにより、現れた芯線のみをそれぞれチャックで掴持することを特徴とする。
【０００７】
本発明によれば、切断後の被覆架線の両切断端部の被覆部を一対の掴線器で掴持し、これら掴線器等によって両切断端部を連結して長時間放置しておく場合において、被覆架線に何らかの原因で大きな外力が作用し、被覆部の掴持された部分が他の被覆部分から引き千切られるようなことがあっても、その掴持された部分の移動は、芯線に直接固定されたチャックによって阻止されるため、引き千切られた被覆部が芯線から抜けてしまうことを防ぐことができ、両切断端部の掴線器等による連結は維持される。よって、従来例に見られた被覆架線、掴線器等の落下事故を防止することができる。
【０００８】
【発明の実施の形態】
以下、本発明の一実施形態を図１〜図３を参照しながら説明する。
【０００９】
被覆架線（被覆電線）の切分け作業は、先ず電柱間等に張架線された被覆架線９の２箇所において、その被覆部１０を一対の掴線器１２ａ、１２ｂで掴持することから開始される。両掴線器１２ａ、１２ｂはチェーン１５ａ、１５ｂを介して棒状の伸縮器１３に連結されている。ターンバックル方式の伸縮器１３は、その軸心まわりの回転を与えることによって縮み、両掴線器１２ａ、１２ｂを引き寄せ、両者間の距離を縮めることにより、被覆架線９を弛ませる。被覆架線９の掴線器１２ａ、１２ｂの両外方部分９ａ、９ｂは、大きな引張力が作用した状態で、前記掴線器１２ａ、１２ｂ、伸縮器１３によって力学的に連結されている。また掴線器１２ａ、１２ｂには、被覆架線と伸縮器１３とからの張力が作用しているが、この張力によって掴線器１２ａ、１２ｂの掴持力が強まるように構成されている。
【００１０】
次いで緊張状態に連結された両掴線器１２ａ、１２ｂの内側に位置する弛み部分の中央において、被覆架線９は切断される。その後図１に示すように、伸縮器１３の両端近傍部に付設されて、被覆架線を保持する一対のホルダー１６ａ、１６ｂの一方１６ｂを、伸縮器１３の軸心まわりに１８０°回転させることにより、被覆架線９の両切断端１７ａ、１７ｂを開離させる。
【００１１】
次いで被覆架線９の両切断端部において被覆部１０の皮剥ぎを行い、現れた芯線１１ａ、１１ｂのそれぞれをチャック１ａ、１ｂで掴持する。チャック１ａ、１ｂは、一例として、図２、図３に示すように、固定掴持部２を備えた本体３と、この本体３にスライド可能に保持された可動掴持部４と、本体３に螺合されると共に可動掴持部４に回転自在でかつ軸方向に一体移動するように連結されたネジ軸５とから構成されている。前記チャック１ａ、１ｂの固定掴持部２と可動掴持部４との間に、前記芯線１１ａ、１１ｂを配置し、ネジ軸５を回転させて螺進させることにより、芯線１１ａ、１１ｂを固定掴持部２と可動掴持部４との間に強固に掴持することができる。なお、チャック１ａ、１ｂとしては、くさび式可動掴持部をもつもの等、種々の掴持のものを用いることができる。
【００１２】
前記チャック１ａ、１ｂで芯線１１ａ、１１ｂを掴持する位置は、図１に示すように、皮剥ぎ後の被覆部１０の端面に、チャック１ａ、１ｂの側面が接する位置が好適である。
【００１３】
上記のように被覆架線の切分け作業が行われ、図１に示されるような状態で長時間放置されることがあるが、（課題を解決するための手段）の項で述べたように、芯線１１ａ、１１ｂに直接固定されたチャック１ａ、１ｂの働きによって、被覆部１０が芯線１１ａ、１１ｂから抜け出てしまうことを確実に防止することができる。
【００１４】
その後、被覆架線１０の修復作業によって、両切断端部は接続され、この接続部に絶縁被覆が施される。
【００１５】
なお、両掴線器間の距離を縮めて被覆架線を弛ませ、両掴線器を緊張状態に連結する他の方法としては、張線器を用いて両掴線器を引き寄せ、その状態を引きとめ器で維持する方法がある。
【００１６】
【発明の効果】
本発明によれば、被覆架線の掴線器によって掴持される部分の皮剥ぎ作業を不要としながら、被覆架線等の落下を確実に防止することができる被覆架線の切分け方法を提供することができる。
【図面の簡単な説明】
【図１】本発明の実施形態を示す正面図。
【図２】チャックの１例を示す正面図。
【図３】チャックの１例を示す側面図。
【符号の説明】
１  チャック
９  被覆架線
１０  被覆部
１１ａ、１１ｂ  芯線
１２ａ、１２ｂ  掴線器
１３  伸縮器
【図１】
0004188545.tif 000002
【図２】
0004188545.tif 000003
【図３】
0004188545.tif 000004